(57)【要約】【課題】本発明は、換気装置において、短時間で屋内の臭気を取り除くことを目的とする。【解決手段】屋外１４の空気を吸い込む吸入部１５と、屋内２に空気を吹き出す吹出部１６と、吸入部１５から吹出部１６に送風する送風機とを有し、屋外１４の壁３面上部から屋外空気が屋内２に送風され、送風機上部に静電霧化手段２４を設けた換気装置であるので、静電霧化手段から発生する帯電微粒子水の作用で、臭気濃度を低減させ、従来の換気に比べ、短時間で臭気を取り除く。【選択図】図１
2012002447.tif 000002
【特許請求の範囲】
【請求項１】
屋外の空気を吸い込む吸入部と、屋内に空気を吹き出す吹出部と、前記吸入部から前記吹出部に送風する送風機とを有し、屋内の壁面上部から屋外空気が室内に送風され、前記送風機上部に静電霧化手段を設けた換気装置。
【請求項２】
静電霧化手段は、放電電極と、この放電電極に対向して配置された対向電極と、これらの対向電極と放電電極間に高電圧を印加する高電圧印部と、前記放電電極を冷却する冷却部と、この冷却部の熱を放熱する放熱フィンとを備え、前記放熱フィンを吸気送風路に突出させた請求項１に記載の換気装置。
【請求項３】
静電霧化手段は、放電電極と、この放電電極に対向して配置された対向電極と、これらの対向電極と放電電極間に高電圧を印加する高電圧印部と、前記放電電極を冷却する冷却部と、この冷却部の熱を放熱する放熱フィンとを備え、換気装置に独立した屋内連通区画を設け、前記屋内連通区画に前記高電圧印部を配置した請求項１に記載の換気装置。
【発明の詳細な説明】
【技術分野】
【０００１】
本発明は、屋外の空気を取り入れて屋内の換気を行う換気装置に関するものである。
【背景技術】
【０００２】
従来、この種の換気装置は、屋外の新鮮な空気を送風機で吸い込み、屋内と屋外を連通するダクトにより室内に送風する構成となっていた。（例えば、特許文献１参照）。
【先行技術文献】
【特許文献】
【０００３】
【特許文献１】特開平７−９１７０１号公報
【発明の概要】
【発明が解決しようとする課題】
【０００４】
上記従来例における課題は、たとえば屋内で臭気が発生した場合、屋外の空気を給気して屋内空気と入れ替えて臭気を取り除くことになるので、屋内の臭気を減少させるのに時間がかかった。
【課題を解決するための手段】
【０００５】
そして、この目的を達成するために、本発明は、屋外の空気を吸い込む吸入部と、屋内に空気を吹き出す吹出部と、前記吸入部から前記吹出部に送風する送風機とを有し、屋外空気が屋内の壁面上部から室内に送風され、前記送風機上部に静電霧化手段を設けた構成としたものであり、これにより所期の目的を達成するものである。
【発明の効果】
【０００６】
本発明によれば、屋外の空気を吸い込む吸入部と、屋内に空気を吹き出す吹出部と、前記吸入部から前記吹出部に送風する送風機とを有し、屋内の壁面上部から屋外空気が室内に送風され、前記送風機上部に静電霧化手段を設けた構成としたものであり、発生した臭気は屋内に拡散し、屋内に送風された屋外空気に拡散して濃度が低下するとともに、送風機上部に静電霧化手段を設けたものであるので、静電霧化手段で発生する帯電微粒子水が吹出部から屋内に搬送されて発生した臭気と反応して分解、除去し、臭気濃度をさらに低減させる。
【０００７】
つまり、送風機による換気だけでなく、静電霧化手段から発生する帯電微粒子水の作用で臭気を取り除くことができるので、短時間で屋内の臭気を取り除くという効果を有する。
【図面の簡単な説明】
【０００８】
【図１】本発明の一実施の形態を示す断面図
【図２】同分解斜視図
【図３】同静電霧化手段の模式図
【図４】本発明の一実施の形態を示す分解斜視図
【発明を実施するための形態】
【０００９】
本発明の請求項１記載の換気装置は、屋外から屋内に送風する送風機と、その送風機上部に静電霧化手段を設けるという構成を有する。これにより、発生した臭気は屋内に拡散し、屋内に送風された屋外空気に拡散して濃度が低下するとともに、静電霧化手段で発生する帯電微粒子水が吹出部から屋内に搬送されて発生した臭気と反応して分解、除去し、臭気濃度をさらに低減させることになるので、従来の換気に比べ、短時間で臭気を取り除くというという効果を奏する。
【００１０】
また、静電霧化手段は、放電電極と、この放電電極に対向して配置された対向電極と、これらの対向電極と放電電極間に高電圧を印加する高電圧印部と、前記放電電極を冷却する冷却部と、この冷却部の熱を放熱する放熱フィンとを備え、前記放熱フィンを吸気送風路に突出させる構成としたもので、屋外の空気で放熱フィンを冷却することができるので、バイパス風路を設けることなく、静電霧化手段を設けることができるという効果を奏する。
【００１１】
また、静電霧化手段は、放電電極と、この放電電極に対向して配置された対向電極と、これらの対向電極と放電電極間に高電圧を印加する高電圧印部と、前記放電電極を冷却する冷却部と、この冷却部の熱を放熱する放熱フィンとを備え、換気装置の筐体に屋内連通区画を設け、前記屋内連通区画に前記高電圧印部を配置する構成としたもので、前記高電圧印部は屋外空気の影響を直接受けずに帯電微粒子水を発生し、安定した脱臭性能を有する換気装置を提供できるという効果を奏する。
【００１２】
以下、本発明の実施の形態について図面を参照しながら説明する。
【００１３】
（実施の形態１）
図１、２に示すように、換気装置１は、屋内２の壁３に床４から離れた天井５近傍に設置されている。この換気装置１は外郭が立方体の筐体６であり、その第一面７は開口しており、この開口部には開口縁８が形成してあり、開口縁８を壁３にねじなどで締結することで壁３に設置されている。
【００１４】
換気装置１の筐体６の内部には送風機を備えている。この送風機は、電動機（図省略）と、この電動機で駆動する貫流ファン９と、ケーシング板１１と、舌板１２とで形成している。具体的には、電動機（図省略）で駆動する貫流ファン９を設けるとともに、貫流ファン９の送風路１０を形成するために、貫流ファン９の近傍から開口縁８側に向かって湾曲しながら延伸するケーシング板１１と、このケーシング板１１に貫流ファン９をはさんで対向する位置に舌板１２とが設けてある。そして、立方体の筐体６の第二面１３に、送風路１０と屋外１４とを連通するように吸入部１５を開口する。なお、第一面７すなわち開口縁８側の開口部には筐体６とケーシング板１１と舌板１２との間で吹出部１６が形成される。
【００１５】
吸入部１５近傍の送風路１０にはフィルター１７を設ける。また、開口縁８を屋内２側から覆うように吹出パネル１８を取付ける。この吹出パネル１８には、吹出部１６と連通する吹出口１９を設け、風向変更ルーバー２０を吹出口１９に設ける。
【００１６】
さらに、ケーシング板１１によって分割された筐体６の上部区画２１に連通するようにケーシング板１１にスリット状のケーシングスリット口２２を設ける。このケーシングスリット口２２は、たとえばケーシング板１１の貫流ファン９のファンブレード９ａを連結する連結リング９ｂに位置を合わせて送風路１０方向に複数設けた整流板２３の間に形成する。そして、その上部区画２１に、ケーシングスリット口２２によって送風路１０と連通するようにして静電霧化手段２４を設置する。
【００１７】
図３に示すように、この静電霧化手段２４は、放電電極２５と、この放電電極２５に対向して配置された対向電極２６と、これらの対向電極２６と放電電極２５間に高電圧（この実施形態では−５ＫＶ）を印加する高電圧印部２７と、前記放電電極２５を冷却する冷却部として配置したペルチェ素子２８と、このペルチェ素子２８の熱を放熱する放熱フィン２９とを備えている。このペルチェ素子２８は０．７５Ｖ〜２．８Ｖ程度の電圧を印加するものであり、この実施形態では、放電電極２５側を低温に、放熱フィン２９側を高温にする。放電電極２５はまた、図２に示すように、送風路１０のケーシング板１１近傍の上部区画２１に配置されていて、ケーシングスリット口２２により送風路１０と連通している。
【００１８】
上記構成において、貫流ファン９を運転すると、屋外１４の新鮮な空気は送風路１０を通って屋内２に送風される。屋外１４の新鮮な空気が屋内２に導入されると、ドアの隙間などの通風口（図省略）から屋内２の空気は順次排出され、屋外１４の空気と屋内２の空気が入れ替えられることになる。さらに、静電霧化手段２４に通電すると放電電極２５側は低温に、放熱フィン２９側は高温になる。そして、貫流ファン９を運転すると送風路１０に形成される空気の流線３０の一部は、ケーシングスリット口２２によって上部区画２１にバイパスするバイパス流線３０ａを形成し、静電霧化手段２４に通風されるので、放熱フィン２９を冷却するとともに、低温の放電電極２５には結露を発生させ、帯電微粒子水が発生する。発生した帯電微粒子水はケーシングスリット口２２から再度送風路１０にもどり、屋内２に吹出す。従って、屋内２で発生した臭気は屋内２に拡散し、屋内２に送風された屋外空気に拡散して濃度が低下するとともに、静電霧化手段２４により発生した帯電微粒子水が吹出口１９から吹出し、屋内２に搬送されて発生した臭気と反応して分解、除去し、臭気濃度をさらに低減させる。
【００１９】
つまり、貫流ファン９の送風による換気だけでなく、静電霧化手段２４から発生する帯電微粒子水の作用で臭気を取り除くことができるので、短時間で臭気を取り除くという効果を有する。
【００２０】
なお、帯電微粒子水中に含まれるものはヒドロキシルラジカルであり、ヒドロキシルラジカルはヒドロキシ基（水酸基）に反応するラジカルであり、このラジカルは通常２個１組で軌道上を回転しているはずの電子が一つしかないので、電気的に非常に不安定で、周りの原子や分子から欠けた電子を奪おうとするために、酸化力が非常に強いものであり、この酸化作用により臭いが分解、除去されるのである。
【００２１】
また、屋内２では照明などの電力や日射などの熱量により、屋内２を冷房している時を除いて、一般的に屋外空気温度は屋内空気温度より低い。床４付近に吹出口１９を設けると冷たい屋外空気は床４付近に滞留するので、屋外空気の吹出口１９は床４から離れた天井５近傍に設け、屋内２の空間全般に行き渡るようにし、さらに静電霧化手段２４は、帯電微粒子水が貫流ファン９によって吹出す気流に乗って搬送されて屋内２の空間全般に行き渡るように、送風路１０の上方に設けるものである。冷房している時は、屋外１４の空気は屋内よりも高いが、天井５付近に送風するようにしておいても、通常天井付近に設置される冷房機に吸い込まれて冷却されるので、吹出口１９は床４から離れた天井５近傍に設けるのが都合がよい。
【００２２】
（実施の形態２）
図４において、図１、図２、図３と同様の構成要素については同一の符号を付し、その詳細な説明は省略する。図４に示すように、換気装置１には、ケーシング板１１によって上部区画２１ａが形成されており、この上部区画２１ａに静電霧化手段２４ａを設置する。このとき、静電霧化手段２４ａを構成する放熱フィン２９は送風路１０に流線３０と平行になるように突出させて設ける。また、換気装置１の開口縁８を屋内２側から覆うように取付けた吹出パネル１８の吹出口１９上部には開口窓３１を設け、この開口窓３１は上部区画２１ａに独立して形成した屋内連通区画３２と連通するようにする。そして、屋内連通区画３２に静電霧化手段２４ａを構成する放電電極２５を突出させて設ける。
【００２３】
上記構成において、貫流ファン９を運転すると、屋外１４の新鮮な空気は送風路１０を通って屋内２に送風される。屋外１４の新鮮な空気が屋内２に導入されると、ドアの隙間などの通風口（図省略）から屋内２の空気は順次排出され、屋外１４の空気と屋内２の空気が入れ替えられることになる。そして静電霧化手段２４ａに通電すると、放熱フィン２９は送風路１０に突出しているのでより冷却される。この放熱フィン２９は、整流板２３の機能即ち連結リング９ｂでの気流の乱れをおさえる機能を代替するように、連結リング９ｂの位置に合わせて設けてもよい。
【００２４】
また、静電霧化手段２４ａに通電すると放電電極２５は低温になる。放電電極２５は屋内連通区画３２に突出させて設けられているので、開口窓３１で連通した屋内２の空気が結露し、帯電微粒子水が発生する。発生した帯電微粒子水は開口窓３１から屋内２に拡散し、開口窓３１近傍の吹出口１９から吹出す気流に誘引されて、屋内２に搬送されて発生した臭気と反応して分解、除去し、臭気濃度をさらに低減させる。
【００２５】
屋外空気は気候条件によっては氷点下に下がるなど空気中の湿度分が下がることがあり、屋外１４の空気が放電電極２５で結露しにくくなる条件がある。即ち、屋外空気では帯電微粒子水が発生しにくくなる条件があるが、屋内空気は先に述べたように熱的な負荷があり、屋内での人間の活動や壁等の保水により湿度分も屋外にくらべ比較的保たれているので、屋内空気を使えば屋外空気よりも帯電微粒子水の発生が安定し、安定した脱臭性能が得られる。
【産業上の利用可能性】
【００２６】
本発明によれば、屋外の空気を吸い込む吸入部と、屋内に空気を吹き出す吹出部と、前記吸入部から前記吹出部に送風する送風機とを有し、屋内の壁面上部から屋外空気が室内に送風され、前記送風機上部に静電霧化手段を設けた構成としたものであり、発生した臭気は屋内に拡散し、屋内に送風された屋外空気に拡散して濃度が低下するとともに、送風機上部に静電霧化手段を設けたものであるので、静電霧化手段で発生する帯電微粒子水が吹出部から屋内に搬送されて発生した臭気と反応して分解、除去し、臭気濃度をさらに低減させる。
【００２７】
つまり、送風機による換気だけでなく、静電霧化手段から発生する帯電微粒子水の作用で臭気を取り除くことができるので、短時間で屋内の臭気を取り除くという効果を有する。
【００２８】
従って、住宅用の換気装置として活用が期待されるものである。
【符号の説明】
【００２９】
１      換気装置
２      屋内
３      壁
４      床
５      天井
６      筐体
７      第一面
８      開口縁
９      貫流ファン
９ａ    ファンブレード
９ｂ    連結リング
１０    送風路
１１    ケーシング板
１２    舌板
１３    第二面
１４    屋外
１５    吸入部
１６    吹出部
１７    フィルター
１８    吹出パネル
１９    吹出口
２０    風向変更ルーバー
２１    上部区画
２１ａ  上部区画
２２    ケーシングスリット口
２３    整流板
２４    静電霧化手段
２４ａ  静電霧化手段
２５    放電電極
２６    対向電極
２７    高電圧印部
２８    ペルチェ素子
２９    放熱フィン
３０    流線
３０ａ  バイパス流線
３１    開口窓
３２    屋内連通区画
【図１】
2012002447.tif 000003
【図２】
2012002447.tif 000004
【図３】
2012002447.tif 000005
【図４】
2012002447.tif 000006